(57)【要約】【課題】内箱下降時に機能部品がユーザーに見えず、見栄えが良く高級感のある電動昇降吊戸棚を提供する。【解決手段】本電動昇降戸棚は、外箱の収納空間に適宜昇降自在に収納される内箱を備え、収納空間の前面下部に形成される開口を適宜閉塞する扉が設けられ、内箱の下降表出時扉の開放により露出する開口を遮蔽する遮蔽体を有する。【選択図】  図１
2006340756.tif 000002
【特許請求の範囲】
【請求項１】
外箱と、
この外箱に形成される収納空間に昇降可能に収納され、下降時に前面が前記外箱から全体的に表出する内箱と、
前記収納空間の上部に収納され、前記内箱を昇降させかつ、モーターおよびこのモーターにより作動され前記内箱を吊す可撓性昇降部材を備える昇降機構と、
前記外箱の一部を構成し、前記内箱の上昇収納時にこの内箱の前面の全体あるいはその一部を覆う扉と、
前記内箱の昇降に応動しかつ、前記内箱の上昇収納状態において前記扉を閉じた状態にし、前記内箱の降下表出および上昇過程において開放状態にする扉開閉機構と、
前記内箱の下降表出時に前記扉の開放により前記収納空間の前面下部に形成される開口を遮蔽する遮蔽体を有することを特徴とする電動昇降吊戸棚。
【請求項２】
前記遮蔽体は、前記開口の上端部と前記内箱の上板間に設けられることを特徴とする請求項１に記載の電動昇降吊戸棚。
【請求項３】
前記遮蔽体は、前記内箱の上板と前記外箱の天板間に設けられることを特徴とする請求項１に記載の電動昇降吊戸棚。
【請求項４】
前記遮蔽体は、複数のスライド板からなることを特徴とする請求項２または３に記載の電動昇降吊戸棚。
【請求項５】
前記遮蔽体は、巻き取り可能な可撓性シート材からなることを特徴とする請求項２または３に記載の電動昇降吊戸棚。
【請求項６】
前記遮蔽体は、蛇腹板からなることを特徴とする請求項２または３に記載の電動昇降吊戸棚。
【発明の詳細な説明】
【技術分野】
【０００１】
本発明は電動昇降吊戸棚に係り、特に内箱の下降表出時扉の開放により外箱の収納空間に形成される開口を遮蔽する遮蔽体を設けた電動昇降吊戸棚に関する。
【背景技術】
【０００２】
従来、電動昇降機構を用いて食器類が収納される内箱を昇降自在とし、この内箱を上昇させて外箱内に収納させ、内箱を下降させて外箱の下方に露出させる電動昇降吊戸棚がある。
【０００３】
これらの電動昇降吊戸棚は、昇降用のモーター及び制御基板などの機能部品を必要とし、内箱の外上面に制御基板、外箱の上板内面に昇降用モーターを取付けるなどをすることにより構成していた。しかしながら、収納箱下降時には扉が開くため、内箱の下降表出時に扉の開放により収納空間の下部近傍に形成される開口を通して、前面からモーターなどの機能部品がユーザーに見えてしまい、見栄えの悪いものとなっていた（例えば、特許文献１）。
【特許文献１】特開２０００−９５５３４号公報
【発明の開示】
【発明が解決しようとする課題】
【０００４】
本発明は上述した事情を考慮してなされたもので、内箱下降時に機能部品がユーザーに見ず、見栄えが良く高級感のある電動昇降吊戸棚を提供することを目的とする。
【課題を解決するための手段】
【０００５】
上述した目的を達成するため、本発明に係る電動昇降吊戸棚は、外箱と、この外箱に形成される収納空間に昇降可能に収納され、下降時に前面が前記外箱から全体的に表出する内箱と、前記収納空間の上部に収納され、前記内箱を昇降させかつ、モーターおよびこのモーターにより作動され前記内箱を吊す可撓性昇降部材を備える昇降機構と、前記外箱の一部を構成し、前記内箱の上昇収納時にこの内箱の前面の全体あるいはその一部を覆う扉と、前記内箱の昇降に応動しかつ、前記内箱の上昇収納状態において前記扉を閉じた状態にし、前記内箱の降下表出および上昇過程において開放状態にする扉開閉機構と、前記内箱の下降表出時に前記扉の開放により前記収納空間の前面下部に形成される開口を遮蔽する遮蔽体を有することを特徴とする。
【０００６】
好適には、前記遮蔽体は、前記開口の上端部と前記内箱の上板間に設けられることを特徴とする。  
また、前記遮蔽体は、前記内箱の上板と前記外箱の天板間に設けられる。  
また、前記遮蔽体は、複数のスライド板からなる。  
また、前記遮蔽体は、巻き取り可能な可撓性シート材からなる。  
また、前記遮蔽体は、蛇腹板からなる。
【発明の効果】
【０００７】
本発明に係る電動昇降吊戸棚によれば、内箱下降時に機能部品がユーザーに見ず、見栄えが良く高級感のある電動昇降吊戸棚を提供することができる。
【発明を実施するための最良の形態】
【０００８】
以下、本発明に係る電動昇降吊戸棚の第１実施形態について添付図面を参照して説明する。
【０００９】
図１は本発明に係る電動昇降戸棚の内箱表出時の側断面図、図２はその扉及び前板を除去して示す正面図である。
【００１０】
図１および図２に示すように、本発明に係る電動昇降戸棚１には、外箱２と、この外箱２に形成される収納空間２ａ内に昇降自在に収納され、食器類が載置される内箱３と、外箱２に内装され内箱３を昇降させる電動昇降機構４と、電動昇降機構４の動作を制御し内箱３を昇降させる操作パネル５が設けられ、さらに、外箱２の前面下部に形成される開口２ｂを適宜開閉する開閉扉２ｃの開放時、開口２ｂを遮蔽する遮蔽体６が設けられている。
【００１１】
外箱２は、天板２ｄ、前垂板２ｅ、両側板２ｆ、背板２ｇ等により構成され、底部全面に底部開口２ｈが設けられ、上記開口２ｂは前垂板２ｅ以外の部分である前面下部に設けられている。また、この外箱２の両側板２ｆの内面に、内箱３を昇降ガイドするための縦長なガイドレール７がそれぞれ設けられている。
【００１２】
開閉扉２ｃは扉開閉機構８により回動される回動式であり、扉開閉機構８は一端が内箱３の側面板３ａ上部に軸支され他端が第２の作動子８ｂに軸支された第１の作動子８ａと、他端が開閉扉２ｃに軸支された上記第２の作動子８ｂと、一端が開閉扉２ｃの上側端部近傍に取り付けられ他端が両側板２ｆに軸支され、スプリング８ｃにより常時上方に付勢される扁平Ｕ字形状の回動子８ｄからなり、内箱３の下降表出時に開閉扉２ｃをわずかに傾斜状態に保ったまま開放状態を保つことができるようになっている。
【００１３】
内箱３は食器収納キャビネット本体を構成するもので、上記両側板３ａ、上板３ｂおよび背板３ｃにより前面が開口する形状とされ、内部に上下２段の食器類等の受具９、さらに、受具９の下方に内箱３の底部開口を塞ぐように水受皿１０が設けられ、さらに、水受皿１０の下方にこの水受皿１０からの流下水を溜める水溜め容器１１及び照明灯１２が設けられている。内箱３の両側板３ａの外面間の寸法は、外箱２の両側板２ｆの内面間の寸法よりも僅かに小さく設定され、これら各側板２ｆ、３ａ間にそれぞれ縦長な幅狭い側方空間１３が形成されている。なお、内箱３の高さは外箱２より十分小さく、内箱３上方にすなわち収納空間２ａの上部に機器収納スペースが形成されるようになっている。また、上板３ｂ上面には制御手段を備え昇降機構４を制御する制御基板４ａ等が設けられている。
【００１４】
さらに、昇降機構４は、モーター４ｂおよびこのモーター４ｂにより作動され内箱３を吊す可撓性昇降部材例えばベルト４ｃを備えており、モーター４ｂは外箱２に取付けられ、モーター４ｂにはギア等の動力伝達機構４ｄを介して巻取りドラム４ｅが連結され、さらに、ベルト４ｃがドラム４ｅに巻装され、ベルト４ｃを下方に案内するベルトローラ４ｆと、内箱３の上板３ｂにいずれも図示しないブラケットを介して支持された内箱吊上げ用の吊上げローラと、ベルト４ｃの端部を止着する止着具とを有している。
【００１５】
この昇降機構４のベルト４ｃは例えば２本構成であり、その各ベルト４ｃにより内箱３の左右２箇所が吊上げられる方式となっている。各ベルト４ｃは、一つの巻き取りドラム４ｅに同時に巻上げられ、それにより内箱３が常時一定姿勢で昇降することができる。なお、内箱３の両側板３ａの外面部にそれぞれスライダー１４を設け、このスライダー１４が外箱２に設けられたガイドレール１６に案内されることにより、確実に内箱３の昇降時の姿勢を安定させることができるようになっている。
【００１６】
また、上記操作パネル５からの入力により、制御手段を介してモーター４ｂを作動し、巻き取りドラム４ｅが回転して内箱３が下降し、あるいは、内箱３が上昇するようになっている。
【００１７】
図３に示すように、遮蔽体６は複数例えば２枚のスライド板からなり、下スライド板６ａが内箱３の上板３ｂの上面に螺着されており、図４に示すように、下スライド板６ａにはこの下スライド板６ａの両端部に設けられた係合スライド溝６ａ１に上スライド板６ｂがスライド自在に係合されており、さらに、上スライド板６ｂの上部両端には、係合部６ｂ１が突設されている。係合部６ｂ１が図１に示す外箱２の開口２ｂの上端部の両側板２ｆに取り付けられたストッパー６ｃに係合状態にあるときは、内箱３の降下及び下スライド板６ａの重量により遮蔽体６が延びた状態になり、係合部６ｂ１がストッパー６ｃから外れた状態では、図５に示す縮んだ状態になるようになっている。
【００１８】
次に本第１実施形態に係る電動昇降吊戸棚の使用方法について説明する。
【００１９】
図１及び図２に示すように、ユーザーは、食器類の出し入れを行なうために、外箱２内に収容された状態の内箱３を降下させ、内箱３を外箱２から全体的に表出させる。
【００２０】
この内箱３の降下は、操作パネル５、制御手段を介してモーター４ｂを駆動させて、巻き取りドラム４ｅを回転させ、ベルト４ｃを送り出し、主として内箱３の重量により行なわれる。内箱３の降下に伴って、開閉扉２ｃはこの開閉扉２ｃと内箱３の側板３ａ間に設けられた扉開閉機構８によりわずかに傾斜状態に保ったまま開放状態になり、この状態を保つ。
【００２１】
このように内箱３はその前面が外箱２から全体的に表出し、開閉扉２ｃがわずかな傾斜状態でかつ開閉扉２ｃの下端部が上昇した状態で、ユーザーは受具９と食器類の出し入れを行なう。
【００２２】
一方、開閉扉２ｃの開放に伴って、開口２ｂを介して収納空間２ａに収納されたモーター４ｂなどの機能部品が見得る状態になるが、図３及び図４に示すように、内箱３の降下に伴い係合部６ｂ１がストッパー６ｃに係合状態にあり、遮蔽体６が延びた状態になり、これにより、遮蔽体６により開口２ｂが遮蔽された状態になり、機能部品がユーザーに見えなくなり、見栄えが良く高級感を与える。
【００２３】
食器類の出し入れ完了後、再び、操作パネル５、制御手段を介してモーター４ｂを駆動させて、巻き取りドラム４ｅを回転させ、ベルト４ｃを巻き取り、内箱３を上昇させる。
【００２４】
この上昇過程において、開口２ｂは開閉扉２ｃによって遮蔽状態になり、これに対して、遮蔽体６は係合部６ｂ１がストッパー６ｃから外れ、図５に示す縮んだ状態になり、図６及び図７に示すように、内箱４が外箱３に完全に収容された状態において、縮んだ状態にある遮蔽体６は天板２ｄに突き当たることがない。このように遮蔽体６を伸縮自在（スライド式）にすることにより、１枚の遮蔽板を用いた場合に比べて天板２ｄと上板３ｂの間隔を大きくする必要がない。
【００２５】
上記第１実施形態に係る電動昇降吊戸棚によれば、内箱下降時に機能部品がユーザーに見えず、見栄えが良く高級感のある電動昇降吊戸棚が実現される。
【００２６】
また、本発明に係る電動昇降吊戸棚の第２実施形態について説明する。
【００２７】
第１実施形態は扉が傾斜状態に保ったままの扉開放状態になり、比較的小さな開口を遮蔽する遮蔽体が２枚のスライド板からなるのに対し、本第２実施形態は扉が回動自在に軸支され、比較的大きな開口を遮蔽する遮蔽体が５枚のスライド板からなる。
【００２８】
例えば、図８〜図１０に示すように、第２実施形態の電動昇降吊戸棚２１は、遮蔽体２６が内箱３の上板間３ｂと開口２２ｂの上端部間に設けられ、係合スライド溝２６ａ１を介して順次スライド自在に係合された複数例えば５枚のスライド板２６ａ…２６ｅからなっている。最下段のスライド板２６ａは上板間３ｂに螺着され、最上段のスライド板２６ｅには係合部材２６ｅ１が取り付けられており、この係合部材２６ｅ１にはその両端に係合部６ｂ１が突設されている。この係合部６ｂ１は、両端部に設けられ、開閉扉２２ｃを軸支するヒンジを兼ねたストッパー６ｃに適宜係合するようになっている。
【００２９】
従って、開閉扉２２ｃの開放に伴って、開口２ｂを介して収納空間２ａに収納されたモーター４ｂなどの機能部品が見得る状態になるが、遮蔽体２６が延びた状態になり、これにより、遮蔽体２６により比較的大きな開口２ｂが遮蔽された状態になり、機能部品がユーザーに見えなくなり、見栄えが良く高級感を与える。
【００３０】
他の構成は図１に示す電動昇降吊戸棚と異ならないので、同一符号を付して説明は省略する。
【００３１】
また、本発明に係る電動昇降吊戸棚の第３実施形態について説明する。
【００３２】
第２実施形態は扉が回動自在に軸支され、比較的大きな開口を遮蔽する遮蔽体が５枚のスライド板からなるのに対して、本第３実施形態は遮蔽体が内箱の上板間と外箱の天板間に設けられ巻き取り可能な可撓性シート材からなる。
【００３３】
例えば、図１１及び図１２に示すように、第３実施形態の電動昇降吊戸棚３１は、遮蔽体３６が内箱３の上板間３ｂと外箱２の天板２ｄ間に設けられ、巻き取り可能な可撓性シート材３６ａを備え、この可撓性シート材３６ａの上端は常時巻き取り方向に付勢されたスプリングを備えた巻き取り機構３６ａに取り付けられ、他端は上板間３ｂに取り付けている。
【００３４】
内箱４が外箱３に完全に収容された状態において、可撓性シート材３６ａの上端は巻き取り機構３６ａに取り付けられ、１枚の遮蔽板を用いた場合に比べて天板２ｄと上板３ｂの間隔を大きくする必要がない。
【００３５】
従って、開閉扉２２ｃの開放に伴って、開口２ｂを介して収納空間２ａに収納されたモーター４ｂなどの機能部品が見得る状態になるが、遮蔽体３６が延びた状態になり、これにより、遮蔽体３６により比較的大きな開口２ｂが遮蔽された状態になり、機能部品がユーザーに見えなくなり、見栄えが良く高級感を与える。
【００３６】
また、本発明に係る電動昇降吊戸棚の第４実施形態について説明する。
【００３７】
第１実施形態は扉が傾斜状態に保ったままの扉開放状態になるのに適し、比較的小さな開口を遮蔽する遮蔽体が２枚のスライド板からなるのに、本第４実施形態は遮蔽体が蛇腹板からなる。
【００３８】
例えば、図１３に示すように、第４実施形態の電動昇降吊戸棚４１は、遮蔽体４６は常時巻き縮む方向に付勢されたスプリングが内装された蛇腹板４６ａを備え、この蛇腹板４６ａの上端部には係合部材４６ａ１が取り付けられ、さらに、この係合部材４６ａ１には、その両端にストッパー６ｃと適宜係合する係合部４６ａ２が突設されている。
【００３９】
これにより、内箱３が外箱２に完全に収容された状態において、蛇腹板４６ａは１枚の遮蔽板を用いた場合に比べて天板２ｄと上板３ｃの間隔を大きくする必要がない。なお、蛇腹板４６ａの倒れ込みを防止するために、蛇腹板４６ａの上端部に取り付ける係合部４６ａ２が案内されるガイド部材を両側板２ｆに設けるようにしてもよい。
【図面の簡単な説明】
【００４０】
【図１】本発明の第１実施形態に係る電動昇降吊戸棚の内箱表出時の側縦断面図。
【図２】本発明の第１実施形態に係る電動昇降吊戸棚の内箱表出時の前垂板及び扉を除去して示す正面図。
【図３】本発明の第１実施形態に係る電動昇降吊戸棚の遮蔽体による開口遮蔽時の概念図。
【図４】本発明の第１実施形態に係る電動昇降吊戸棚に用いられる遮蔽体の斜視図。
【図５】本発明の第１実施形態に係る電動昇降吊戸棚に用いられる遮蔽体の斜視図。
【図６】本発明の第１実施形態に係る電動昇降吊戸棚の収納時の側縦断面図。
【図７】本発明の第１実施形態に係る電動昇降吊戸棚の収納時の前垂板及び扉を除去して示す正面図。
【図８】本発明の第２実施形態に係る電動昇降吊戸棚の内箱表出時の側縦断面図。
【図９】本発明の第２実施形態に係る電動昇降吊戸棚の内箱表出時の前垂板及び扉を除去して示す正面図。
【図１０】本発明の第２実施形態に係る電動昇降吊戸棚の収納時の側縦断面図。
【図１１】本発明の第３実施形態に係る電動昇降吊戸棚の内箱表出時の側縦断面図。
【図１２】本発明の第３実施形態に係る電動昇降吊戸棚の概念図。
【図１３】本発明の第４実施形態に係る電動昇降吊戸棚の内箱表出時の側縦断面図。
【符号の説明】
【００４１】
１…電動昇降戸棚、２…外箱、２ａ…収納空間、２ｂ…開口、２ｃ…開閉扉、２ｄ…天板、３…内箱、４…電動昇降機構、４ａ…制御基板、４ｂ…モーター、６…遮蔽体、６ａ…下スライド板、６ａ１…係合溝、６ｂ…上スライド板、６ｂ１…係合部、６ｃ…ストッパー、８…扉開閉機構。
【図１】
2006340756.tif 000003
【図２】
2006340756.tif 000004
【図３】
2006340756.tif 000005
【図４】
2006340756.tif 000006
【図５】
2006340756.tif 000007
【図６】
2006340756.tif 000008
【図７】
2006340756.tif 000009
【図８】
2006340756.tif 000010
【図９】
2006340756.tif 000011
【図１０】
2006340756.tif 000012
【図１１】
2006340756.tif 000013
【図１２】
2006340756.tif 000014
【図１３】
2006340756.tif 000015